Podtech/llm-jp-corpus-v4-ja_patent huggingface dataset:
(57)【要約】      （修正有）【課題】棒状把持物の固定具において広範囲の構造物に固定できること。【解決手段】棒状把持物に対し着脱自在な取付部５と、前記棒状把持物側の面に粘着部材を備えて前記取付部に枢着された固定板７を備える。【選択図】図３
0003132718.tif 000002
【実用新案登録請求の範囲】
【請求項１】
棒状把持物に対し着脱自在な取付部と、表面に粘着部材を備えて前記取付部に枢着された固定板を備えることを特徴とする棒状把持物保持具。
【請求項２】
前記固定板の前記粘着部材を覆う蓋部を設けたことを特徴とする請求項１の棒状把持物保持具。
【請求項３】
前記棒状把持物の主軸に略直角の回転軸を持ち、前記取付部と回転自在に装着された前記固定板を備えることを特徴とする請求項１の棒状把持物保持具。
【考案の詳細な説明】
【技術分野】
【０００１】  本考案は、杖や傘などの棒状把持物を起立した状態で保持する保持具に関する。
【背景技術】
【０００２】  従来の杖などの保持具では、図１に示すように必要なときに杖に取り付けて机など平面２の角に掛けるものや、図２に示すように杖に装着しておき、必要なときに固定レバー４を開いて机などの平面の角に掛けるものがある。
【考案の開示】
【考案が解決しようとする課題】
【０００３】  しかしながら従来のように机などの平面の角に掛ける方法では、壁部のない机などでは、杖の重さにより不安定になったり、机の上面が滑りやすい場合は、杖の重さにより杖が転倒することもあった。また、垂直面である壁などには立てかける場合は、まったく効果がないなどの課題があり、適用できる場合が少ないという課題があった。これを解決するために固定レバーに磁石を装着して磁性体で構成された壁に磁力で固定する案も出されているが（実登３００８４５７）、磁性体で構成された垂直面は少なく、大きな改善とはなっていない。
本考案は杖や傘など、従来の手に持つ棒状把持物の保持具が持つ課題を解決する保持具を提供することを目的とする。
【課題を解決するための手段】
【０００４】  本考案では、棒状把持物に対し着脱自在な取付部と、前記棒状把持物側の面に粘着部材を備えて前記取付部に枢着された固定板を備えることによって従来の棒状把持物の保持具の上記課題を解決するものである。
【考案の効果】
【０００５】本考案の構成により、杖などの棒状把持物を周辺に机、壁などの構造物があるところでは、構造物の形や材質によらず起立した状態で保持することができる棒状把持物の保持具を実現することができる。
【実施例】
【０００６】図３は本考案の第１の実施例を示す。以下棒状把持物として杖を例として説明する。
図３（ａ）、（ｂ）に示すように杖に嵌め込み着脱自在の環状取付部５と前記環状取付部５に取付けられた蓋部６と前記蓋部６とヒンジ３を介して枢着された固定板７、前記固定板７に取付けられた粘着部材８から構成される。机の上面に杖を掛ける場合は、図３（ｂ）前記固定板７を前記蓋部６と直角に開き、机の上面に掛けると、前記粘着部材８は、机の上面と接触し粘着するため、固定板７は机の上面に固定される。したがって固定板と連結する杖は起立した状態で机に固定される。蓋部６は粘着部材８の表面が汚れて粘着力が低下するのを防ぐ。
粘着部材には、家具の転倒防止等に用いられている粘着性を持つゲルを用いる。前記ゲルは固定板７と一体成型で構成されており、着脱した際粘着ゲルのみが机等に離脱してしまうことが無い。また、粘着ゲル部に汚れが付着すると粘着力が低下するが、汚れを除去すると粘着力が復活するという特長がある。
また、粘着部材として粘着テープを用いてもよい。粘着力が低下すると新しいテープに交換するとよい。
また、壁などの垂直面に固定する場合は、図３（ｃ）に示すように固定板７を蓋部６に対し１８０度開き、粘着部材８を垂直面と接触させ固定板７を垂直面に固定する。したがって固定板７と連結する杖は起立した状態で垂直面に固定される。
図４は、本考案の第２の実施例を示す。
環状取付部５と蓋部６は一体に成形されているため、部品点数を減らすことができる。
図５は本考案の第３の実施例を示す。固定板７は下部に杖と反対側に向かう反り部９を備えている。杖を机の角に掛けるときは、前記反り部９を机の表面角に当てて杖を下に押すことにより反り部９は机の表面２を図中右側に移動する。すなわち固定板７は蓋部６に対して直角に開く。したがって、杖を把持したまま、手を添えることなく固定板を机の表面に固定することができる。
図６は本考案の第４の実施例を示す。環状取付部５と蓋部６はピン１０により回転自在に取付けられている。図６（ｃ）に示すように、環状取付部５に対し、蓋部６を９０度回転させ、固定板８を展開させると、横長の縦幅の狭い垂直面にも固定することができる。
図７は本考案の第５の実施例を示す。本実施例では蓋部６を杖本体のシャフトに代用させるもので、固定板７は杖のシャフトとの間隔が狭くなるように固定板７の形状が決められている。蓋部を省略することにより軽量化と価格の低下を図ることができる。
【図面の簡単な説明】
【０００７】
【図１】従来例
【図２】従来例
【図３】本考案の第１の実施例
【図４】本考案の第２の実施例
【図５】本考案の第３の実施例
【図６】本考案の第４の実施例
【図７】本考案の第５の実施例
【符号の説明】
【０００８】１    保持具
２    机
３    ヒンジ
４    グリップ
５    環状取付部
６    蓋部
７    固定板
８    粘着部材
９    反り部
１０  ピン
【図１】
0003132718.tif 000003
【図２】
0003132718.tif 000004
【図３】
0003132718.tif 000005
【図４】
0003132718.tif 000006
【図５】
0003132718.tif 000007
【図６】
0003132718.tif 000008
【図７】
0003132718.tif 000009
(57)【要約】      （修正有）【課題】アーク熔接の際の眩しい光りを防ぎ、熔接部周辺を照明灯付、カメラ機能付液晶ディスプレーで透視して見る場合のしゃ光保護具用の２段しゃ光ガラスを提供する。【解決手段】照明灯付及び、カメラ機能付液晶ディスプレーと組み合わせて使用する。尚、本しゃ光ガラスは比較的明るいしゃ光ガラスと透明保護ガラスとの間の右又は、左端の部分にプラスチック製カラーフィルターのフィルムａを２〜３種重ね合わせたものでディスプレーの１／４程度をこのフィルムで三角状にカバーする構造の２段しゃ光ガラスである。【選択図】図１
0003132720.tif 000002
【実用新案登録請求の範囲】
【請求項１】
アーク熔接の際のしゃ光ガラスにアーク芯避けの部分をしゃ光ガラスとプラスチック製カラーフィルターのフィルムで設けてアーク芯の眩しい光りと、この光りによる照明灯付カメラ機能付液晶ディスプレーの短命化を防ぐためのしゃ光ガラスであって、このカラーフィルターのフィルムはディスプレーの右又は、左側１／４程度視野を三角状にカバーするようにしてアーク芯部の光りをしゃ光して薄暗く目視できる程度として、しゃ光ガラスと透明保護ガラスの間に挟んで両ガラスの端をテープで接着した２段しゃ光ガラスで照明灯付、カメラ機能付液晶ディスプレーと組み合わせて用いる２段しゃ光ガラス。
【考案の詳細な説明】
【技術分野】
【０００１】  本考案は、アーク熔接の際使用するしゃ光保護具のしゃ光ガラスに関するものである。
【背景技術】
【０００２】  従来のアーク熔接では、しゃ光面にしゃ光ガラスを用いてアーク光の中心部のみを目視して熔接する方法が一般的で熔接部周辺は目視できない状態であり感によるものであった【０００３】  又、しゃ光保護具等の使用方法が悪い時などはスパッターが目に入り傷をつける場合いが多かった。
【考案の開示】
【考案が解決しようとする課題】
【０００４】  この点を解決するために、しゃ光保護具の面のしゃ光ガラス部を工夫してしゃ光保護具に取り付けてカメラ機能付液晶ディスプレーで熔接部周辺を透視画像として目視しながら作業を行えるようにすることである。
【課題を解決するための手段】
【０００５】  本考案は、しゃ光保護具に適度のしゃ光ガラスと、此の左端又は、右端の一方の隅にカラーフィルターのフィルムを２〜３種重ね合せて設けて２段階しゃ光でアーク中心部の光りを抑えて照明灯付、カメラ機能付液晶ディスプレーによって透視して熔接するための用具である。【０００６】
【特願文献１】
特願２００５−３８３４０
【考案の効果】
【０００７】  上述の様に、本考案のプラスチック製カラーフィルターのフィルム付しゃ光ガラスはこれと重ね合わせの部分とをもつものでアーク中心を薄暗く見えるようにして、この外の周辺は明るく写すためのしゃ光ガラスであり照明灯で熔接部周辺を照らして、この近傍をカメラ機能付液晶ディスプレーに写して見る事が可能となる。
【０００８】  このようにして、カラーフィルターのフィルムを数種三角状にしゃ光ガラスの横の端に重ねて用い照明灯とカメラ機能付液晶ディスプレーによりアーク芯は薄暗くその外の周辺はなるたけ明るく透視して熔接開始点、熔接状況を見ながら作業か行える様にしたしゃ光ガラスである。
【０００９】  ここに、三角状のプラスチック製カラーフィルターのフィルムで２段階目のしゃ光を行い強烈な光りを軟らげる尚、三角状に設けるのは熔接部周辺の視野を広くするためである
【００１０】  又、本しゃ光ガラスはイナートガスアーク熔接たけでなくアーク熔接全般に渡りこの２段しゃ光ガラスでしゃ光することが可能となり間接な目視熔接が出来る用になる
【実施例】
【００１１】  以下、添付図面に従って実施例を説明する。カラーフィルターのフィルムａは、しゃ光ガラスｂと透明保護ガラスｃとの間に設けるもので照明灯付、カメラ機能付液晶ディスプレーの１／４程度の部分を三角状にディスプレー中央までをカバーするように取り付ける【００１２】  図１において、カラーフィルターのフィルムａは、しゃ光度番号中程度のしゃ光ガラスｂと、透明保護ガラスｃとの間の左又は、右側に設けるものでありテープｄでガラス端を接着するものである。【００１３】  更に、このカラーフィルターのフィルムの形状は図１のように三角状として視野を広げるためであり又、プラスチック製フィルターのフィルムは熱に弱いためスパッターによる損傷を防ぐためガラスに挟んで使用する。【００１４】  尚、アーク散乱光はしゃ光ガラスで遮断されて液晶ディスプレーには写し出されない。
【図面の簡単な説明】
【００１５】
【図１】  カラーフィルターのフィルム付しゃ光ガラス正面図
【図２】  カラーフィルターのフィルム付しゃ光ガラス平面図
【符号の説明】
【００１６】  ａ  プラスチック製カラーフィルターのフィルム
ｂ  しゃ光ガラス
ｃ  透明保護ガラス
ｄ  粘着テープ
【図１】
0003132720.tif 000003
【図２】
0003132720.tif 000004
(57)【要約】      （修正有）【課題】収納器具を使用することなく、へら部分が接地面につかずに置ける衛生的なしゃもじを提供する。【解決手段】へら部１、握り柄部２、突起部４から構成され、握り柄部先端３と突起部４の２点が接地することにより、へら部１が直接に接地面につくことがない衛生的なしゃもじ。【選択図】図１
0003132719.tif 000002
【実用新案登録請求の範囲】
【請求項１】
へら部と握り柄部とその間に突起部を有し、置くときに握り柄部先端と前記突起部の２点が設置することにより、前記へら部が直接設置面につかず、さらに前記突起部は前記へら部と前記握り柄部の中間地点よりも前記握り柄部側に距離的に近い位置にあることを特徴とするしゃもじ。
【考案の詳細な説明】
【技術分野】
【０００１】  この考案は、しゃもじに突起部を設けることにより使用後のしゃもじを置くときに、へら部分が直接テーブル上につくことがなく、さらに専用の収納ケース等を必要としない衛生的なしゃもじに関するものである。
【背景技術】
【０００２】  従来、しゃもじは使用後の置き方として直接テーブル上に置けばへら部分がテーブルにつき不衛生なため、専用の収納ケースや炊飯器についたホルダー、あるいは茶碗などに入れておくなど、しゃもじ以外の収納器具を必要とした。
【考案の開示】
【考案が解決しようとする課題】
【０００３】  これは、つぎのような欠点があった。
従来、しゃもじの使用後の収納方法として、テーブル上に置くという形はへら部分が直接テーブルにつき不衛生なため、別途に収納器具を用意する必要があり面倒であった。
本考案は、以上のような構造の欠点を失くすためになされたものである。
【課題を解決するための手段】
【０００４】  本考案は上記課題を考慮し、へら部（１）と握り柄部（２）との間に突起部（４）を設けることにより、しゃもじの使用後に直接テーブル上などに置く際、握り柄部先端（３）と突起部（４）の２点が接地することにより、へら部（１）が直接に接地面につかずに衛生的であることを特徴とする。
このように本考案は、上記の構造的課題を解消する構造をもつしゃもじである。
【考案の効果】
【０００５】    本考案は、へら部と握り柄部を有するしゃもじにおいて、へら部と握り柄部の間に突起部を設けているので、しゃもじを置く際に、握り柄部先端と突起部の２点が接地することにより、へら部が直接に接地面につかずに衛生さを保つことができる効果が得られる。
【考案を実施するための最良の形態】
【０００６】  以下、本考案を実施するための最良の形態について図１に基づいて説明する。本考案は，へら部（１）握り柄部（２）突起部（４）から構成されるしゃもじである。握り柄部先端（３）と突起部（４）の２点が接地することにより、へら部（１）が直接に接地面につくことがなく、しゃもじの使用後にご飯粒が接地面にくっつき不衛生であるという課題を解消できる形態である。さらに、しゃもじの主要をなす部分がへら部（１）であるということからすれば、炊飯器の中のご飯をよそう際に突起部（４）がご飯に届くと不衛生なため、突起部（４）はへら部（１）と握り柄部（２）の中間位置よりも握り柄部（２）側に距離的に近いことが最良の形態である。
【図面の簡単な説明】
【０００７】
【図１】  本考案の正面図及び側面図である。
【符号の説明】
【０００８】  １    へら部
２    握り柄部
３    握り柄部先端
４    突起部
【図１】
0003132719.tif 000003
(57)【要約】      （修正有）【課題】従来の医療用マーカーは一般のサインペンを使用し色別には単体製品で利用し間違いや訂正のときの消去は道具や薬品などで拭いても簡単に消えず跡が残ることが多く、レントゲンなどフィルム系材質では薬品は使用できずペンで指し説明するしかなかった。又、用途に合わせて数色利用するときは色別に単体製品を用意しておくため置く場所を広く必要とするなどの問題の課題があった。【解決手段】医療用マーカーとして皮膚、レントゲンフイルム系材質などにマーク、線などを描くことが出来、道具や薬品を使用しなくても簡単に消せるペンシル芯、及びマークの用途に合わせてペンシル色芯交換を簡単に出来るようにペンシル色芯部をペンシル本体と分離し小型カートリッジ式とした。【選択図】図１
0003132715.tif 000002
【実用新案登録請求の範囲】
【請求項１】
ペンシル色芯を小型カートリッジ式として本体先のペンシル色芯を簡単に交換できる色ペンシルマーカー。
【考案の詳細な説明】
【技術分野】
【０００１】  本考案は医療用マーカーペンシルに関する。
【背景技術】
【０００２】  従来の医療用マーカーペンシルは一般のサインペンを使用ししかも各色別々単体の製品しかなかつた。
【考案の開示】
【考案が解決しようとする課題】
【０００３】  医療マーカーペンシルの特長として皮膚やフイルム系材質、白盤などに標しが出来てしかも簡単に特殊な方法や薬品道具を使用せずに消去でき又鉛筆芯のように芯をナイフで削れ先の太さを加工でき各色別の芯を簡単に交換するだけで、すみやかに使用できる製品考案が課題である。
【課題を解決するための手段】
【０００４】  医療マーカーペンシルの特長としてペンシル芯の成分は（表１）ペンシル芯の成分割合表のような比率で混合し特殊な方法や薬品道具を使用せずに簡単に消去できるペンシル芯を考案して課題を解決した、【０００５】  各色のペンシル芯を簡単に交換できるように色芯構造部を小型カートリッジ式として本体と分け又使用しない時などの芯折れや乾燥を防ぐため本体の回転による芯の収納構造を考案し課題を解決した。
【考案の効果】
【０００６】  本考案マーカーペンシルにより外科美容整形などの色別マークやチェックレントゲンフイルムの書込みができ簡単に消去できるため訂正などの跡が残らず各色別々芯を小型カートリッジ式にして簡単に交換を行え利用効果が高まる。
【考案を実施するための最良の形態】
【実施例】
【０００７】  本考案の図面と表に従って説明する（図１）はターゲットマーカー製品全体構造断面図で１ペンシル本体に２キャップ３ペン挿し金具４後ろ蓋５カートリッジ部６ペンシル色芯７ネジ溝回転シャフトで構成されている。【０００８】  （図２）カートリッジ部断面図で５カートリッジ本体に６ペンシル芯７ネジ溝回転シャフトと８ペンシル芯固定前後移動シャフトで構成されカートリッジ部を１ペンシル本体にセットした状態で１ペンシル本体を右回転すると７ネジ溝回転シャフトが右に回り８ペンシル芯固定前後移動シャフトのピンがネジ溝にそいながらネジの原理で前に移動して６ペンシル芯を前に出し使用可能状態にし使用後は１ペンシル本体を左に回転すると８ペンシル芯固定前後移動シャフトが後ろに移動して芯を５カートリッジ本体に収納し芯の折れを防ぎ別の色を使用する時は５カートリッジ本体を１ペンシル本体から外し簡単に交換する事が出来ます保管するときは２キャップをかぶせ芯の乾燥を防ぎ保管します。【０００９】  例えは美容整形手術など用途に対し皮膚に色分けマースを行う時は色芯がカートリッジ式のため簡単に可能で又レントゲンフイルム系素材などにも記入でき簡単に消し傷や跡が残りません、家庭では化粧用ペンシルとしてまた白盤や冷蔵庫にも記入でき利用範囲の拡大の効果があります。【００１０】  （表１）は皮膚やフイルム材質などにマーク記入が可能でかつ簡単に特殊な道具や薬品を使用せずに消去できる素材の考案した濃茶ペンシル色芯成分割合表の例です。
【表１】
0003132715.tif 000003
【図面の簡単な説明】
【００１１】
【図１】    ターゲットマーカー製品全体構造断面図
【図２】    カートリッジ部断面図
【符号の説明】
【００１２】１  ペンシル本体
２  キャップ
３  ペン挿し金具
４  後ろ蓋
５  カートリッジ部
６  ペンシル色芯
７  ネジ溝回転シャフト
８  ペンシル芯固定前後移動シャフト
【図１】
0003132715.tif 000004
【図２】
0003132715.tif 000005
(57)【要約】      （修正有）【課題】マグネット用ボードを構成する鉄板等の強磁性材の表面に布地を張ることにより高級感と装飾性を高め、布地の柄の種類も豊富に簡単に製造することが出来るため、消費者に気に入った絵柄を選びやすくし、さらに安価にて提供する。【解決手段】マグネット用ボード１を構成し、磁力によって張り付く鉄板３、鋼板、亜鉛メッキ板、ブリキ等の強磁性材の表面に布地２を張る。【選択図】図１
0003132716.tif 000002
【実用新案登録請求の範囲】
【請求項１】
磁力によって張り付く鉄板、鋼板、亜鉛メッキ板、ブリキ板等の強磁性材と磁力で紙、紙への印刷物、メモ紙、写真、はがき等を強磁性材に張り付けるための磁石とで構成し壁面や間仕切り等に掛けたり取り付けて使用するマグネット用ボードにおいて、鉄板、鋼板、亜鉛メッキ板、ブリキ等の強磁性材の表面に布地を張り装飾性を高めたことを特徴とするマグネット用ボード。
【考案の詳細な説明】
【考案の詳細な説明】
【技術分野】
【０００１】  この考案は、マグネット用ボードにかかるものであり、磁力によって張り付く鉄板、鋼板、亜鉛メッキ板、ブリキ板等の強磁性材と磁力で強磁性材に紙、紙への印刷物、メモ紙、写真、はがき等を強磁性材に押さえ付けるための磁石とで構成するマグネット用ボードにおいて、鉄板、鋼板、亜鉛メッキ板、ブリキ板等の強磁性材の表面に布地を張りつけ、布を張り付けた強磁性材を板状の形状、又はパネル状に形成、又は額装に形成し壁面または間仕切り等に掛けて、又は取り付けて使用するマグネット用ボードに関するものであり、壁面を構成する壁面材、及び間仕切り等を構成するパネルではない。
【背景技術】
【０００２】  周知のように、従来一般的なマグネット用ボードは、鉄板等の表面に塗装し、白色、有色のもの又は木目調に着色したもの、また風景のイラストを印刷したもの等、又は鏡を張り付けたもの、また樹脂フイルム等を張り付けたものがあり、木目調のマグネット用ボードや風景のイラストを印刷したマグネット用ボードはインテリアとの調和を考慮に入れ製造されており優れた装飾性のあるマグネット用ボードがある。【０００３】また、鉄板等に壁紙、クロス等を張った壁面材や間仕切りパネル等があり、マグネットを使用しメモ紙等を鉄板等に壁紙、クロス等を張った壁面材や間仕切りパネル等を押さえて使用できるものがあるが、本考案のマグネット用ボードは壁面や間仕切り等に掛けたり、取り付けて使用するものである。
【考案が解決しようとする課題】
【０００４】  そこで、この考案は、上記する従来のマグネット用ボードの長所をさらに魅力あるものにしようとするものであり、強磁性材の表面に布地を張ることにより布地の素材から感じる高級感や暖かみを与え、さらに布地への絵柄の印刷が印刷機の発展により容易にできるようになっために絵柄の種類を豊富に安価にマグネット用ボードを提供することにある。
【課題を解決するための手段】
【０００５】  この考案は、上記する目的を達成するにあたって、具体的には磁力によって張り付く鉄板、鋼板、亜鉛メッキ板、ブリキ等の強磁性材の表面に布地を張り、布を張り付けた強磁性材を板状の形状、又はパネル状に形成、又は額装に形成し壁面または間仕切り等に掛けたり、取り付けたりして使用できるように構成する。
【０００６】布を張り付けた強磁性材をパネル状に形成、又は額装に形成加工することができるが形成方法は数多くの方法があるが、ここでは形成方法には触れない。
【０００７】ここで言う布地とは、絹、麻、木綿、ポリエステル等の合成繊維製布地で、有色無地のもの、絵柄をプリントしたもの、又は織り込んで絵柄を形成したものを言う。
【考案を実施するための最良の形態】
【０００８】  以下、この考案になるマグネット用ボードについて、図面に示す具体的な実施例にもとづいて説明する。
図１は、この考案にかかるマグネット用ボードの具体的な実施例を示すものであって、実施例を概略的な断面図を示すものである。
【考案の効果】
【０００９】  以上の構成になるこの考案のマグネット用ボードは、従来のマグネットボードの魅力をさらに高めるものであり、特にカラフルな絵柄の布地を使用したマグネット用ボードはマグネット用ボードの機能を維持したまま高級感をたかめ明るく楽しいアート的な装飾性を安価に発揮することができる。
【図面の簡単な説明】
【００１０】
【図１】  図１はこの考案にかかるマグネット用ボードの具体的な実施例の１例を示す概略的な断面図である。
【符号の説明】
１  マグネット用ボード
２  布地
３  鉄板
４  マグネット
５  紙
６  壁面
７  マグネット用ボード取り付けようネジ
【図１】
0003132716.tif 000003
(57)【要約】      （修正有）【課題】弁当、給食、外食業者等、中〜小規模の実需者への食油の配送において、荷役作業を含む配送の労力を軽減し、搬入先での貯油、注油を容易にし、空容器の後始末を不要とする等、物流形態をより効率的なものにする。【解決手段】タンク本体１の上部に油をタンクに充填するための注油口５、油をタンクから取り出すための注油ポンプ２を設け、タンク底部１１をテーパー状に形成し、その最下降位置にタンク内の残油を排出するドレン排出口を設け、且つ、タンク本体１とキャスターを有する脚体を留め具９で固定し一体化したものである。【選択図】図１
0003132764.tif 000002
【実用新案登録請求の範囲】
【請求項１】
油タンクであって、タンク上部に注油口を設け、タンクの底部をテーパー状に形成し、その最下降位置にドレン排出口を設け、さらにタンク上部に注油ポンプを設けるとともにタンク下部にキャスターを固定したことを特徴とする可搬式油タンク。
【考案の詳細な説明】
【技術分野】
【０００１】
本考案は食油を所定量収納して弁当、給食、外食業者等、中〜小規模の実需者へ直送し、所定場所に搬入したのち、実需者が保管場所に貯油し、随時所定量を取り出し使用するための可搬式油タンクに関するものである。
【背景技術】
【０００２】
従来、食油は、数100g〜10数kgを秤入れた容器（家庭用ではＰＥＴ、ポリ、缶、瓶等、業務用では、一斗缶やバックインボックス等）単位で物流に供されてきた。また、食品工場等の大規模な実需者については、施設内に保管用タンクを設置し、食油供給拠点からタンク車で運搬し、保管用タンクに充填する方法（バルク輸送）での物流が行われてきた。
【考案の開示】
【考案が解決しようとする課題】
【０００３】
弁当、給食、外食業者等、中〜小規模の実需者への食油の配送は、容器単位で配送する場合、搬出、搬入に係る積み替えに人的な労力を要し、また、実需者側においても、一斗缶やパックインボックス等の容器で供されるものについては、重量が重いため、フライヤー等に注油する際など取り扱いが困難であった。また、空容器の処分についても手数を要するという問題もある。一方、バルク輸送を行う場合、作業場内に保管タンクを設置するスペースが必要であり、また、充填を行う際にタンク車を横付けするスペースが必要となるが、厨房スペースを極力小さくし、立地的にもタンク車を横付けできない中〜小規模の実需者については、バルク輸送の適用は困難であった。すなわち、従来の配送方法は、中〜小規模の実需者に対して前述の課題を抱えており、課題を解消するには、新たな配送方法が必要であった。
【０００４】
本考案はこのような事情に鑑みなされたものであって、上記課題を解消し、荷役作業を含む配送の労力を軽減し、搬入先での貯油、注油を容易にし、空容器の後始末を不要とする等、物流形態をより効率的に改善可能な可搬式油タンクを提供することを目的とするものである。
【課題を解決するための手段】
【０００５】
上記目的を達成するために本考案に係るタンクの構成は、タンク上部に注油口を設け、タンクの底部をテーパー状に形成し、その最下降位置にドレン排出口を設け、さらにタンク上部に注油ポンプを設けるとともにタンク下部にキャスターを固定したことを特徴とする点に存する。
【考案の効果】
【０００６】
本考案の可搬式油タンクは、弁当、給食、外食業者等、中〜小規模の実需者への食油の配送において、荷役作業を含む配送の労力を軽減し、搬入先での貯油、注油を容易にし、空容器の後始末を不要とする等、物流形態をより効率的なものに改善可能である。
【考案を実施するための最良の形態】
【０００７】
搬送を容易にするキャスター付き脚体はコンパクトかつ自立可能で平行移動可能とするため、三本脚が好ましい。注油は容器を傾倒させることなく容易に行うため、注油ポンプで汲み上げる方法とし、また、注油ポンプに連結した注油ホース先端の注油口は作業場内および注油ホースへの油垂れによる汚れを防止するため油垂れ防止口とする。また、残油によるコンタミネーションを防止するため、タンク内底面は注油ポンプの吸い上げ口に向かって傾斜を設け、吸い上げ口下の底部にドレン排出口を設け、注油ポンプで吸い上げきれない残油をドレン排出口から排出する仕組みとする。なお、素材構成は耐食、耐候性や反復使用のための洗浄を考慮してオールステンレスとされるのが好ましい。
【実施例】
【０００８】
以下、添付図面に従って一実施例を説明する。図１は側面図、図２は上面図である。
【０００９】
１はタンク本体で、タンク上部の５は油をタンクに充填するための注油口、２は油をタンクから取り出すための注油ポンプである。タンク底部11はテーパー状を成しており、その最下降位置に設けた12はタンク内の残油を排出するドレン排出口である。タンク本体１とキャスター10を有する脚体８は留め具９で固定し一体化している。
【００１０】
図示のタンク本体１は円筒形とした。但し、タンク本体１の形状は立方体、直方体等様々な形状が可能である。
【００１１】
注油口５に連結具６ａで連結し、ピン６ｂで枢着した注油口蓋６は開閉自在である。
【００１２】
タンク上部に注油ポンプ２を設け、本ポンプで汲み上げることにより、容器を傾倒させることなく注油を行うことが可能である。ポンプは公知のもので良く、図示の注油ポンプ２は手動式ポンプであるが、電動式ポンプの利用も可能である。
【００１３】
注油ポンプ２と注油ホース３はホースバンド３ａで固定し連結しており、注油ホース先端の注油口は油垂れ防止口４となっており、作業場内および注油ホースへの油垂れによる汚れを防止する。油垂れ防止口４は公知のもので良い。
【００１４】
タンク側面にはのぞき窓７を有しており、タンク内の残量確認が可能である。タンク内の残量確認は、液面計、レベルセンサー等の代替も可能である。
【００１５】
タンク内底面11は注油ポンプの吸い上げ口２ｂの最下降位置に向かってテーパー状を成し、吸い上げ口下の底部にドレン排出口12を設け、注油ポンプ２で吸い上げきれない残油をドレン排出口12から排出し、残油によるコンタミネーションを防止する。
【００１６】
キャスター10付き脚体８はコンパクトかつ自立可能で平行移動可能とするため、三本脚とする。但し、自立可能で平行移動可能であれば、三本脚以外の構成も可能である。
【００１７】
タンク本体１と脚体８は座面８ｅの上にタンク本体１を据置、固定具８ｄと留め具９により固定し一体化する。
【００１８】
キャスター10は公知のもので良く、全て自在ベアリングキャスターであり、360°自在に方向転換が可能である。
【図面の簡単な説明】
【００１９】
【図１】本考案の可搬式油タンクの一実施例を示す正面図である。
【図２】本タンクの上面図である。
【符号の説明】
【００２０】
１  タンク本体
２  注油ポンプ
３  注油ホース
４  油垂れ防止口
５  注油口
６  注油口蓋
７  のぞき窓
８  脚体
９  留め具
10  キャスター
11  底面（テーパー状）
12  ドレン排出口
【図１】
0003132764.tif 000003
【図２】
0003132764.tif 000004
(57)【要約】      （修正有）【課題】エンボス柄の意匠性に優れ、印刷適性が非常に良好で、印刷光沢が高く、様々な用途に使用可能な模様紙を提供する。【解決手段】７５度表面光沢度が８０％以上の両面キャスト紙にエンボス加工した模様紙であり、エンボス加工後の表面光沢度が６０％以上であり、印刷加工後の印刷光沢度が５５％以上である。【選択図】図１
0003132779.tif 000002
【実用新案登録請求の範囲】
【請求項１】
ＪＩＳ  Ｐ８１４２での７５度光沢度が８０％以上の両面キャストコート紙をエンボス加工したことを特徴とする模様紙。
【請求項２】
該模様紙の表面光沢度が６０％以上であることを特徴とする請求項１記載の模様紙。
【請求項３】
印刷加工後の印刷光沢度が５５％以上であることを特徴とする請求項１記載の模様紙。
【考案の詳細な説明】
【技術分野】
【０００１】
本考案は、模様紙に関するものであり、特に、エンボス柄の意匠性も良好で、印刷適性もあり、印刷光沢の高い模様紙に関するものである。
【背景技術】
【０００２】
模様紙は、書籍やノートの表紙、裏表紙、出版物、包装材料、便箋、封筒、カタログ、カレンダーなど幅広く利用されている。従来は、印刷用途への適用が少なく、エンボス意匠性のみを強く求める傾向であったが、近年、印刷用途への要望も増加し、印刷適性も求められるようになっている。通常、エンボス加工を施した模様紙は、非塗工紙にエンボス加工する場合は、印刷適性がなく、印刷適性を付与するために塗工層を設けると紙の風合いが損なわれるとの懸念を抱えている。そのような中で、印刷適性を兼ね備えた模様紙としては、いくつかの特許が開示されている。特許文献１には、エンボスした紙の表面に顔料塗工層を設ける技術が開示されているが、エンボス加工に顔料塗工をするため、凹凸はなくなってしまう。特許文献２にも、凹凸が形成されている模様紙の表面に中空球体状の有機系填料を含有した塗工層を形成することで、印刷適性を向上させるとの開示があるが、せっかく付けた凹凸上に再塗工するため、エンボスの見栄えが悪化してしまう。特許文献３には、基紙表面に水性ポリマーとポリマー微粒子を混合して透明塗工層を設ける手法が開示されているが、透明樹脂塗工層のみでは、印刷鮮明性に劣る。また、それ以外にも、一般コート紙にエンボス加工を施すなどの手法がある。しかしながら、これらはどれも、印刷適性とエンボスの意匠性を十分満足するものではない。
【特許文献１】実開昭６４−１００９９公報
【特許文献２】特開平２−１２７６００公報
【特許文献３】特開２０００−２４８４９８公報
【考案の開示】
【考案が解決しようとする課題】
【０００３】
光沢度が高く、印刷適性が非常に良好でありながら、エンボス意匠性も良好な模様紙が望まれている。
【課題を解決するための手段】
【０００４】
本考案者は、上記課題を解決するため、鋭意研究を行った結果、下記の模様紙を考案するに至った。
すなわち、考案の第１は、ＪＩＳ  Ｐ８１４２での７５度光沢度が８０％以上の両面キャストコート紙にエンボス加工されている模様紙である。
考案の第２は、該模様紙の表面光沢度が６０％以上である。
考案の第３は、印刷加工後の該模様紙の印刷光沢度が５５％以上である。
【考案の効果】
【０００５】
本考案の模様紙は、エンボス加工後でも高光沢性を維持し、そのためエンボス模様がきれいに見えて意匠性も良好となり、さらに印刷適性も高い。
【考案を実施するための最良の形態】
【０００６】
本考案は、光沢度の高い両面キャスト紙を使用する。キャスト紙とは、原紙に塗工された塗料が可塑性のある間に、硬い鏡のように仕上げた面に押し付けて乾かし、強光沢を持つようにした紙である。一般塗工紙がスーパーカレンダーにて顔料を配向させて平滑化させるのに対し、キャスト紙は、塗料中のバインダー成分が成膜化してドラム鏡面を転写して形成される。そのため、高光沢、高平滑が発現しやすく、またインキセットが早く、着肉性も良好となる。本考案での模様紙は、表面光沢度は、８０％以上の両面キャスト紙を使用することが好ましい。光沢度が８０％未満では、エンボス加工後の光沢度が低めとなり、エンボス模様がきれいに見えない。キャスト紙の製造方法には、ウェットキャスト法（直接法）、ゲル化キャスト法（凝固法）、リウェットキャスト法などが挙げられるが、本考案では、上述の表面光沢度が得られれば、その製造方法に限定させるものではなく、適宜選択可能である。
この両面キャスト紙をエンボス加工するわけであるが、エンボス加工後の模様紙の表面光沢は、６０％以上とする。６０％以上では、エンボスの凹凸がより浮かび上がってきれいに見える。６０％未満では、エンボスパターンの凹凸がきれいに見えなくなってしまう。このような光沢度を達成するためのエンボスパターンとしては、絹目、絹目格子、梨地といった比較的細かなエンボス柄が良いが、特に、この３パターンに限定されるわけではない。エンボス加工は、平版プレス、ロールプレスなど特に限定されるものではないが、通常は、所望するエンボスパターンを彫刻した彫刻ロールを用い、ロールエンボス機にて熱圧処理するのが好ましい。なお、模様紙の印刷は、グラビア印刷、オフセット印刷等、特に限定するものではない。
【実施例】
【０００７】
以下実施例により本考案をさらに詳しく説明する。
実施例及び比較例における％、部は、特に断りのない限り質量％、質量部を表す。
【０００８】
＜実施例１＞
光沢度８５％の両面キャスト紙（坪量１５７ｇ／ｍ２）にロールエンボス機を用い、熱圧処理により、彫刻ロールでエンボス加工した。彫刻ロールの模様は「絹目」を用いた。エンボス加工した模様紙のエンボス意匠性を目視評価するとともに、ＲＩテスターにてラボ印刷を実施し、印刷適性を評価した。
【０００９】
＜比較例１＞
光沢度が７８％の両面アート紙を用いた以外は、実施例１と同様にして模様紙を得た。
【００１０】
評価方法
光沢度：ＪＩＳ  Ｐ８１４２に準拠（７５度鏡面光沢度）
エンボス意匠性：エンボスのきれいさを目視評価。
意匠性が良好なものを○とする。
印刷適性：印刷光沢度は、上記ＪＩＳに準拠して測定。
インキセット性、鮮明性、印刷表面強度など総合的に判断して評価。
印刷適性良好なものを○とする。
【００１１】
【表１】
0003132779.tif 000003
【図面の簡単な説明】
【００１２】
【図１】本考案に係る模様紙の平面図である。
【符号の説明】
【００１３】
1・・・・用紙
2・・・・エンボス加工部
【図１】
0003132779.tif 000004
(57)【要約】      （修正有）【課題】幼児等が便秘の際に自力で排泄物を排泄できない場合、肛門を傷つけずに排泄物をかきだす。【解決手段】シリコンゴム製の小型さじを有する細長い棒を使い、排泄物をかきだすようにした。【選択図】図１
0003132730.tif 000002
【実用新案登録請求の範囲】
【請求項１】
・シリコンゴム製の小型さじを有する細長い棒状の排泄物かきだし棒。
【考案の詳細な説明】
【考案の開示】
【考案が解決しようとする課題】
【０００１】従来、幼児等が便秘時に排泄物を自力で排泄できない場合、親等が指でほじくり出す必要があった。
【課題を解決しようとする手段】
【０００２】上記目的を達成するために、シリコンゴム製の小型さじを有する細長い棒で排泄物をかきだすようにした。
【考案の効果】
【０００３】シリコンゴム製の小型さじは肛門を傷付けにくい。排泄物をかきだす際、排泄物が手に付きにくく、不快な思いは多少しなくなる。
【図面の簡単な説明】
【０００４】
【図１】シリコンゴム製の小型さじを有する排泄物かきだし棒の全体図である。
【符号の説明】
１    シリコンゴム製の小型さじ
２    プラスチック製の持ち手
【図１】
0003132730.tif 000003
(57)【要約】      （修正有）【課題】エアコンの吹き出し口から出る空気を後部座席又は後方へ送風しにくい車種でも後部座席又は後方へ送風しやすくする。【解決手段】じゃばらホースを使用し、車両用エアコンの吹き出し口にあるルーバーに取り付け、後部座席又は後方へエアコンの空気を送る。【選択図】図１
0003132721.tif 000002
【実用新案登録請求の範囲】
【請求項１】
・円筒形のじゃばらホースからなる車両用エアコンの延長ダクト。
【考案の詳細な説明】
【考案の開示】
【考案が解決しようとする課題】
【０００１】従来の車両用エアコンでは車種によってエアコンの吹き出し口から出る空気を後部座席又は後方へ送りにくいものがあった。
【課題を解決しようとする手段】
【０００２】上記目的を達成するために、円筒形のじゃばらホースを使用し、車両用エアコンの吹き出し口にあるルーバーに取り付け、後部座席又は後方に空気を送るようにした。
【考案の効果】
【０００３】後部座席や後方へエアコンの空気を送りにくい車種でもエアコンの空気を送りやすくなった。後方に位置する人やペットが快適に同乗できる。冬季に延長ダクトから出る空気を窓ガラスに直接当てるようにすれば結露による曇りは発生しにくくなる。
【図面の簡単な説明】
【０００４】
【図１】じゃばらホースからなる車両用エアコン延長ダクトの全体図である。伸縮可能な固定棒を数本使って延長ダクトを天井に取り付けたり、床上に設置するなどして運転の妨げにならないようにする。
【符号の説明】
【図１】
0003132721.tif 000003
(57)【要約】      （修正有）【課題】ゴルフのプレイ時、クラブのヘッドカバーを外した時に、キャディへの負担の増加、ヘッドカバーの紛失や汚れ及び、拾い上げる時の次打者との接触事故等を防止する。【解決手段】マグネット式ヘッドカバー保持具により、ヘッドカバーを外した時も、簡単に後部ポケットに差込み固定してプレイでき、安全で迅速な進行により、快適なゴルフプレイが促進される。【選択図】図２
0003132726.tif 000002
【実用新案登録請求の範囲】
【請求項１】
磁気作用により挟み固定するゴルフクラブのヘッドカバー（パターカバーも含む）保持具。
【考案の詳細な説明】
【技術分野】
【０００１】本考案は、ゴルフクラブのヘッドカバーの保持具に関する。
【背景技術】
【０００２】従来ゴルフクラブの使用時、そのヘッドカバーを外した時、同伴者（キャディ）に持ってもらったり、地面に置いていた。
【考案の開示】
【考案が解決しようとする課題】
【０００３】しかしこれでは、不便なうえ、同伴者（キャディ）への負担、紛失、汚れ、及び拾い上げる時、次打者との接触事故等の原因となっている。
【課題を解決する為の手段】
【０００４】そこで、磁気作用によりポケットの内側と外側を挟むように固定するヘッドカバー保持具を考案した（図１▲ａ▼）。この保持具によりクラブ使用時も、ヘッドカバーを後部ポケットに固定し保持したままプレイができる。
又、パターカバーの場合、保持札の形をボールマーク修正フォークにすることによりその用途は多様化する。（図１▲ｂ▼）
【考案の効果】
【０００５】よって、本考案のヘッドカバーにより、
・地面からヘッドカバーを拾い上げる時に起こり易い、次打者との接触事故の防止。
・同伴者（キャディ）への負担の軽減。
・ヘッドカバーの紛失防止。
・ヘッドカバーの汚れ防止。
・保持札をボールマーク修正フォークにすることによりその利便性がより高められる。
等、ヘッドカバー取り扱いの簡素化及び合理化により、安全で迅速なゴルフプレイの進行とグリーンの設備保全が促進される。
【考案を実施する為の最良の形態】
【０００６】本考案に係るヘッドカバー保持具は、図１、図２に示すように磁気作用により挟み保持するが、万が一磁力にて保持できない場合にでも、ヘッドカバーが落下しない程度の保持札の長さ▲Ａ▼を要する。素材はプラスチックや金属で形成されることが望ましく、図３で示すようにカバーにあと付けする場合、背面に安全ピンを備え、ヘッドカバーに接着する。
【図面の簡単な説明】
【０００７】
【図１】本考案に係るマグネット式ヘッドカバー保持具の図である。ドライバー等のカバーに使用する保持具▲ａ▼  パターカバーに使用する保持具▲ｂ▼
【図２】▲ア▼保持具を使用しない状態の図である。▲イ▼保持具を使用した状態の図である。
【図３】ヘッドカバー等にあと付けする為に安全ピンを備えた当該保持具である。
【符号の説明】
【０００８】  ▲Ａ▼    保持札の長さ
▲Ｂ▼    接続バンド
▲Ｃ▼    マグネット
▲Ｄ▼    安全ピン
▲Ｅ▼    ヘッドカバー
▲Ｆ▼    ズボンのポケット
【図１】
0003132726.tif 000003
【図２】
0003132726.tif 000004
【図３】
0003132726.tif 000005
(57)【要約】      （修正有）【課題】浴用タオルには体を洗い汚れを落とす、すすぐ、水拭きをするといった用途が求められているが、そのどの用途にも適合した浴用両面タオルを提供する。【解決手段】綿のタオル１の裏面にナイロンタオル２を縫い合わせることで、体を洗い汚れを落とす、すすぐ、水拭きをするといった用途に適合した浴用タオルとした。【選択図】図１
0003132722.tif 000002
【実用新案登録請求の範囲】
【請求項１】
綿タオル１の裏面にナイロンタオル２を縫い合わせた浴用タオル
【考案の詳細な説明】
【技術分野】
【０００１】この考案は、表面が綿タオルで裏面がナイロンタオルという２種類の生地で作られた１枚のタオルを体を洗うときに使用してそれぞれのタオル生地が持つ特性を１度に生かすことができるように利便性を高めた浴用タオルに関するものである。
【背景技術】
【０００２】従来、体を洗うときは１種類のタオル生地を使用していた。
【考案の開示】
【考案が解決しようとする課題】
【０００３】これには、次のような欠点があった。
（イ）  綿タオルは肌触りは良いが、生地が柔らかいので体の汚れを十分に落とせなかった。
（ロ）  ナイロンタオルは体の汚れは落とせるが、肌触りが悪かった。
本考案は、これらの欠点を除くためになされたものである。
【課題を解決するための手段】
【０００４】  綿タオル１とナイロンタオル２を表面と裏面に縫い合わせる。本考案は、以上の構成からなる浴用タオルである。
【考案の効果】
【０００５】肌触りの違うタオルが１枚になっているので、体を洗うときの状況に応じて好きなタオル面を使って洗える。
また、体を洗うときはナイロンタオル面で洗い、すすぐときや水滴を拭き取るときは綿タオル面を使うという使い分けけができる。
【実施例】
【０００６】以下、本案の実施例について説明する
（イ）  綿タオル１の裏面にナイロンタオル２を縫い合わせる。
（ロ）  この片面は綿タオル生地で、もう一方の片面はナイロンタオル生地のタオルに洗剤を付けて体を洗う。
本考案は以上のような使用方法である。洗う体の部位に応じてタオルの表面と裏面を使い分ける。
【図面の簡単な説明】
【図１】本考案の斜視図である。
【図２】本考案の断面図である。
【図１】
0003132722.tif 000003
【図２】
0003132722.tif 000004
(57)【要約】      （修正有）【課題】飲料食品入り状態で、市販されているペットボトルを購入した人が、当該ペットボトルのキャップと付け替えて、ディスペンサー及びドレッシングポットとして使用できるようなキャップを提供する。【解決手段】上部に注ぎ口１を設け、それに適合する栓２を備え付けたキャップ１０を考案した。キャップと当接するペットボトルであれば、このキャップによりディスペンサー及びドレッシングポットとして使用できる。【選択図】図１
0003132725.tif 000002
【実用新案登録請求の範囲】
【請求項１】
ペットボトルのキャップの、又はそれに準ずる規格のキャップの上面に管状の注ぎ口を一ヶ所設け、市販されている飲料用ペットボトルに当接・密着するペットボトル用、注ぎ口付きキャップ。
【請求項２】
注ぎ口に適合する栓が備えられているペットボトル用、注ぎ口付きキャップ。
【考案の詳細な説明】
【技術分野】
【０００１】  本考案は、ペットボトルをディスペンサー及びドレッシングポットとして利用するキャップに関する。
【背景技術】
【０００２】  ドレッシング入りペットボトルに直接取り付けることができる、従来のディスペンサー及びドレッシングポットの機能を持った、注ぎ口付きキャップはなかった。また、市販のディスペンサー及びドレッシングポットは適合するボトルが概ね決まっており、ボトルを交換して使用する場合、キャップとボトルの両方をセットで買う必要がある。
【考案の開示】
【考案が解決しようとする課題】
【０００３】  ジュース、水等、飲料食品入り状態で、市販されているペットボトルを購入した人が、当該ペットボトルに冠着されているキャップと付け替えて、ディスペンサー及びドレッシングポットとして使用できるようなキャップを提供することを目的とする。
【課題を解決するための手段】
【０００４】  そこで、上面に管状の注ぎ口を設け、それに適合する栓を備え付けたペットボトル用キャップを考案した（図１）。本考案に係るキャップと当接・密着するペットボトルであれば、ディスペンサー及びドレッシングポットとして利用できる。また、安易にボトルの付け替えも可能であり、様々な容量のペットボトルにも対応できる。
【考案の効果】
【０００５】  （イ）ドレッシングに限らず、調味料や洗剤等に利用でき、用途や収納スペースに応じ        て、ペットボトルの大きさを安易に変えることができる。
（ロ）内容物を詰め替えて使用する場合、期間とボトル容量を考えて使用すれば、頻繁        な補充が不要である。
（ハ）ペットボトルの汚れが落ちない場合や、ボトル部分が破損した場合には、新しい        飲料用ペットボトルと交換するだけである。
（ニ）飲食店等、大型（２ｌ）のディスペンサー及びドレッシングポットが必要な場合        、安価で入手できる。
（ホ）栓をすることで衛生的に利用でき、倒した場合にも内容物が零れない。
以上の効果に加え、飲料用ペットボトルの再利用と、新規ディスペンサー及び新規ドレ  ッシングポットの購買数低下により、個人の経済的節約と資源の節約を実践できる。
【考案を実施するための最良の形態】
【０００６】  本考案に係るキャップ１０は、図１に示すように、管状の注ぎ口１を上部に設け、注ぎ口１に適合する栓２が形成されている。ペットボトルとの接点となるキャップ内側の、内径及びネジ山３は、市販の飲料用ペットボトルに密着するように決めればよい。素材は、食品衛生上問題が起こりにくい安価なものが望ましい。注ぎ口１の内径は従来のディスペンサー及びドレッシングポットと同等でよいが、用途に応じて決めてもよい。
【図面の簡単な説明】
【０００７】
【図１】    本考案に係るキャップの、栓を外した状態の斜視図である。
【図２】    本考案に係るキャップの、栓をつけた状態の断面図である。
【図３】    本考案の使用斜視図である。
【符号の説明】
【０００８】    １    注ぎ口
２    栓
３    ネジ山
１０  キャップ
２０  ペットボトル
Ｄ    ドレッシング
【図１】
0003132725.tif 000003
【図２】
0003132725.tif 000004
【図３】
0003132725.tif 000005
(57)【要約】【課題】本考案は結婚式のセレモニー時に必要な結婚式用手袋に関するものである。【解決手段】Ｕ字状の切欠部を設けた手袋と先端を略三角形にした腕カバーを一対とした結婚式用手袋。【選択図】図３
0003132738.tif 000002
【実用新案登録請求の範囲】
【請求項１】
Ｕ字状の切欠部を設けた手袋と先端を略三角形にした腕カバーを一対とした結婚式用手袋。
【考案の詳細な説明】
【技術分野】
【０００１】本考案は結婚式のセレモニー時に必要な結婚式用手袋に関するものである。
【背景技術】
【０００２】従来、花嫁はドレスに似合った手袋をはめて、セレモニーに望んだ。
【考案の開示】
【考案が解決しようとする課題】
【０００３】そのため次のような問題点があった。
（イ）結婚式のセレモニーには必ず指輪交換が行われる。その際、両手につけていた、手袋を脱がしていた。通常５０〜６０ｃｍの奥行のある手袋を脱がすときに、指に布体が密着しているので、手袋を脱ぐのに手数がかかった。また、指輪交換直後、手袋をはめるため、手袋の着脱を２回行う必要があった。セレモニーでは新郎新婦の緊張も加わりスムーズに行えない場合も多い。
（ロ）セレモニーが終わった後の披露宴時の食事をするとき手袋を脱いでいた。（フォーク、ナイフ、グラスを持ったときに、手袋をつけていたのではすべりやすく危険なためである）
（ハ）ドレスと共布の手袋の場合もあり、ドレスのデザインの一部である手袋を脱いで素肌になることにより、ドレスとしての全体美を損なうことがあった。
本発明は以上の問題点を解決するためになされたものである。
【課題を解決するための手段】
【０００４】Ｕ字状の切欠部を設けた手袋と先端を略三角形にした腕カバーを一対とした結婚式用手袋。
【考案の効果】
【０００５】デザイン性、着脱のわずらわしさを解決することができる。
腕が素肌の状態でないため、ビデオカメラ、カメラに映ったときの見栄えが良い。
【考案を実施するための最良の形態】
【０００６】以下、本考案の実施の形態を説明する。
（イ）先端部を略三角形状にして、手の甲から二の腕にかけて、肌をおおう形態の長さ５０〜６０ｃｍの腕カバー（１）を形成する。
（ロ）手の甲を覆う手袋（２）の一端をＵ字状にした欠切部（２Ａ）を設け、かつ手袋（２）の素材は腕カバー（１）と同質のものを用いる。
本発明は以上の構成からなるもので以下、使用法について説明する。
先ず手袋（２）をつけた後に腕カバー（１）を二の腕に装着する。手袋（２）に設けたＵ字状の欠切部（２Ａ）があるために腕カバー（１）と手袋（２）の重なり部分が二重とならず、すっきりとした一体感のある美感を提供することができる。
指輪交換や食事時手袋（２）をとるが、Ｕ字状の欠切部（２Ａ）を設けた手袋（２）であるため、手の甲全体を覆っていないので、手袋（２）を前方に引くと抵抗が少なく、すぐに脱けやすい。
腕カバー（１）の先端を略三角形状にしているため、スリム感がでて、手の形をきれいに見せることができる。
腕カバー（１）と手袋（２）が同質の素材を用いているために、格調高い腕カバー（１）を演出することができる。【０００７】本発明は以上の構成、作用からなるものであるが、他の実施例として、発明者は次のようなものを創作している。
図４で示すように、ドレスとコーディネートできるフリル・レース素材などファッション性の高い装飾加工（４）をＵ字状の欠切部（２Ａ）を設けた手袋（２）と腕カバー（１）の三角状の縁に装飾加工（４）を設けて、エレガンス性を追求することができる。また、図５で示すように、長さ５０〜６０ｃｍの腕カバー（１）と手袋（２）とにボタンや輪ゴムの止め具（３）を設けて、腕カバーと手袋（２）との密着度を強固にすることも可能である。肌との密着性も高くなり、ズレを防止することもできる。
また、ＵＶ加工の素材を使用することにより、日焼け止め効果のある日常使用の２ウェイ手袋として使用することもできる。
【図面の簡単な説明】
【０００８】
【図１】本考案の斜視図
【図２】本考案の装着時の全形図
【図３】本考案の使用状態を示す斜視図
【図４】本考案を基本としたデザイン例図
【図５】本考案を基本とした止めを設けたデザイン例図
【符号の説明】
【０００９】  １    長さ５０〜６０ｃｍの腕カバー
２    手袋
２Ａ  欠切部
３    止め具
４    装飾加工
【図１】
0003132738.tif 000003
【図２】
0003132738.tif 000004
【図３】
0003132738.tif 000005
【図４】
0003132738.tif 000006
【図５】
0003132738.tif 000007